(57)【特許請求の範囲】
【請求項１】
遊技盤の中央部に配置されるセンター役物と、
前記センター役物の下方に配置される始動入賞装置と、
前記センター役物の背面側に配置され、前記始動入賞装置に遊技球が入賞すると実行される抽選の当たり外れを示す図柄が表示される可変入賞装置と、
を備える弾球遊技機において、
前記センター役物は、
前記遊技盤に向けて発射された遊技球が入球する入球口と、
前記入球口に入球した遊技球を放出する球出口と、
前記球出口から放出された遊技球を転動させた後に落下させる上ステージと、
前記上ステージに設けられた複数の移動穴に各１個の対応で配されて該移動穴に沿って往復移動することで前記上ステージ上を転動する遊技球の進路を変更させる複数の進路変更部材と、
前記上ステージと階段状をなすように前記上ステージの手前側下方に設けられ、前記上ステージから落下した遊技球を転動させた後に落下させる下ステージと、
前記上ステージの手前側であって前記始動入賞装置の真上の位置に設けられ、前記上ステージ上を転動する遊技球が流入可能な球誘導路と、を含んで構成され、
前記球誘導路に流入して該球誘導路から落下する遊技球は、前記下ステージから落下する遊技球よりも前記始動入賞装置に入賞する可能性が高い
ことを特徴とする弾球遊技機。
【請求項２】
請求項１記載の弾球遊技機において、
前記複数の進路変更部材を前記複数の移動穴に沿って往復移動させるための
駆動機構は、
前記複数の移動穴のそれぞれに対応する複数の突出穴が設けられ、前記上ステージの下面側に配される上スライド板と、
前記上スライド板の上面に立設され、各々が１つの前記移動穴を貫通して前記上ステージ上に突出し、各々が前記進路変更部材の１つを支持する複数の上移動突起と、
前記上スライド板の下面側に配される下スライド板と、
前記下スライド板の上面に立設され、各々が１つの前記突出穴および１つの前記移動穴を貫通して前記上ステージ上に突出し、各々が前記進路変更部材の１つを支持する複数の下移動突起と、
前記上スライド板の下面に設けられた上ラック歯と、
前記下スライド板の上面に設けられた下ラック歯と、
モータの出力軸に固着され、前記上ラック歯および前記下ラック歯と歯合する歯車と、
を含んで構成され、
前記モータが正転および逆転して前記上スライド板と前記下スライド板とが往復移動することで、前記複数の上移動突起が各々が貫通している前記移動穴に沿って往復移動するとともに前記複数の下移動突起が各々が貫通している前記突出穴および前記移動穴に沿って往復移動し、前記複数の進路変更部材が対応する前記移動穴に沿って往復移動する
ことを特徴とする弾球遊技機。
【発明の詳細な説明】
【０００１】
【発明の属する技術分野】
本発明は、弾球遊技機に関する。
【０００２】
【従来の技術】
従来、パチンコ機やアレンジボール式パチンコ機等の弾球遊技機には、図１８に例示されるセンター役物を備えるものがある。
このセンター役物３００は、可変表示装置の表示面に対応する表示窓３０２を有する枠状の表示枠部材３０４、表示枠部材３０４の前面側に配されセンター役物３００を遊技盤に固定するための部材となるベース板３０６、ベース板３０６の前面に取り付けられた一対の前飾り部材３０８、入球口３１０、デジタル表示器３１２および保留ランプ３１４等を備えて前飾り部材３０８の間に配された中飾り部材３１６、前飾り部材３０８の下方に配されて遊技盤面から導入した遊技球を表示枠部材３０４の内側に放出するワープ樋３１８等から構成されている。
【０００３】
このセンター役物３００では、表示枠部材３０４の床に相当する部分はワープ樋３１８から流出した遊技球を球誘導凹部３２０から遊技盤面に向けて落下させるステージ３２２とされている。ステージ３２２には、遊技球を遊動させるためにわずかな凹凸面や傾斜面等が形成されており、ステージ３２２上に流入した遊技球はステージ３２２上で遊動した後にステージ３２２から下方に落下する。
【０００４】
また、普通、センター役物３００の下方には遊技球の入球があると可変表示装置を始動させる始動口が配設されており、ステージ３２２からの落下位置により始動口に入球する可能性が変わってくる。
【０００５】
【発明が解決しようとする課題】
しかしながら、従来のステージでは、わずかな凹凸面や傾斜面はあるもののステージ上での遊技球の挙動は比較的単純で趣向性に欠けており、遊技者に飽きられてしまうおそれがあった。また、ステージ上での遊技球の運動範囲は狭く、ステージ上のスペースが有効利用されているとは言い難かった。なお、このような不都合は、センター役物に限らず、ステージを有するものに共通であった。
【０００６】
本発明は、ステージを備える弾球遊技機において、趣向性を向上すると共にステージ上のスペースの有効利用を図るものである。
【０００７】
【課題を解決するための手段および発明の効果】
上記課題を解決するための請求項１記載の弾球遊技機は、
遊技盤の中央部に配置されるセンター役物と、
前記センター役物の下方に配置される始動入賞装置と、
前記センター役物の背面側に配置され、前記始動入賞装置に遊技球が入賞すると実行される抽選の当たり外れを示す図柄が表示される可変入賞装置と、
を備える弾球遊技機において、
前記センター役物は、
前記遊技盤に向けて発射された遊技球が入球する入球口と、
前記入球口に入球した遊技球を放出する球出口と、
前記球出口から放出された遊技球を転動させた後に落下させる上ステージと、
前記上ステージに設けられた複数の移動穴に各１個の対応で配されて該移動穴に沿って往復移動することで前記上ステージ上を転動する遊技球の進路を変更させる複数の進路変更部材と、
前記上ステージと階段状をなすように前記上ステージの手前側下方に設けられ、前記上ステージから落下した遊技球を転動させた後に落下させる下ステージと、
前記上ステージの手前側であって前記始動入賞装置の真上の位置に設けられ、前記上ステージ上を転動する遊技球が流入可能な球誘導路と、を含んで構成され、
前記球誘導路に流入して該球誘導路から落下する遊技球は、前記下ステージから落下する遊技球よりも前記始動入賞装置に入賞する可能性が高い
ので、上ステージ上に流入した遊技球の進路を様々に変化させて上ステージ上をランダムに遊動させることができる。よって、上ステージ上での遊技球の挙動、その後の落下位置等が様々に変化するので趣向性が向上し、スペースの有効利用となる。
複数の進路変更部材は、上ステージに設けられた複数の移動穴に各１個の対応で配されて移動穴に沿って往復移動することで上ステージ上を転動する遊技球の進路を変更させる。
この進路変更部材の移動は規則的でも不規則でもよいが、例えば規則的であったとしても、遊技球が上ステージ上に流入するタイミング自体が予測できないので、遊技球と進路変更部材との干渉状態はランダムとなる。よって、上ステージ上での遊技球の挙動、その後の落下位置等を様々に変化させる効果を向上できる。
【０００８】
請求項２記載の弾球遊技機は、
請求項１記載の弾球遊技機において、
前記複数の進路変更部材を前記複数の移動穴に沿って往復移動させるための
駆動機構は、
前記複数の移動穴のそれぞれに対応する複数の突出穴が設けられ、前記上ステージの下面側に配される上スライド板と、
前記上スライド板の上面に立設され、各々が１つの前記移動穴を貫通して前記上ステージ上に突出し、各々が前記進路変更部材の１つを支持する複数の上移動突起と、
前記上スライド板の下面側に配される下スライド板と、
前記下スライド板の上面に立設され、各々が１つの前記突出穴および１つの前記移動穴を貫通して前記上ステージ上に突出し、各々が前記進路変更部材の１つを支持する複数の下移動突起と、
前記上スライド板の下面に設けられた上ラック歯と、
前記下スライド板の上面に設けられた下ラック歯と、
モータの出力軸に固着され、前記上ラック歯および前記下ラック歯と歯合する歯車と、
を含んで構成され、
前記モータが正転および逆転して前記上スライド板と前記下スライド板とが往復移動することで、前記複数の上移動突起が各々が貫通している前記移動穴に沿って往復移動するとともに前記複数の下移動突起が各々が貫通している前記突出穴および前記移動穴に沿って往復移動し、前記複数の進路変更部材が対応する前記移動穴に沿って往復移動する
ことを特徴とする。
【００１２】
【発明の実施の形態】
次に、本発明の実施例を図面を参照して説明することにより、発明の実施の形態を具体的に説明する。
【００１３】
【実施例１】
図１に示すように、本実施例の弾球遊技機としてのパチンコ機１０では、遊技盤１２の中央部にセンター役物１４が設置されている。また、センター役物１４の下方には、一対の開閉部材１６を有するチューリップ型の始動入賞装置１８、開閉板２０によって開閉される大入賞口２２、大入賞口２２の左右に配された入賞口２４を備える大入賞装置２６が配され、大入賞装置２６の左右上方には、入賞口２８が設置されている。なお、遊技盤１２には、周知の障害釘や風車などの遊技部材が配置されているが、それらの図示は省略している。
【００１４】
図１〜図５に示すように、センター役物１４は、額縁状のベース板３０を備えており、ベース板３０の前面上部には中飾部材３２と左飾部材３４、右飾部材３６が庇状に張り出されている。ベース板３０の内側には、前面側が開放された枠体３８が連接されている。枠体３８の背面側には背板４０が取付けられ、図１、図４および図５に示すように背板４０には表示窓４２が設けられている。また、図３および図５に示すように、背板４０には可変表示装置４４が取付けられており、図１、図４および図５に示すように、その表示部４６は表示窓４２に露呈されている。
【００１５】
図２〜図５に示すように、中飾部材３２には一対の入球口４８が設けられている。図２および図５に示すように、入球口４８には、枠体３８の外面に沿って配されたワープ樋５０の球入口５２が接続されている。また、図４および図５に示すように、ワープ樋５０の他端は枠体３８の側壁５４に開口した球出口５６に接続されている。
【００１６】
図２、図３および図４に示すように、左飾部材３４および右飾部材３６のそれぞれの側面には球通過口５８が開口しており、球通過口５８に流入した遊技球は、左飾部材３４および右飾部材３６の下端部に設けられた出口（図示しない）から下方へと落下する構造である。
【００１７】
図１、図２、図４および図５に示すように、枠体３８の内側には上ステージ６０および下ステージ６２が階段状に設けられている。なお、これら上ステージ６０および下ステージ６２には傾斜が付与されており、それぞれ奥側が手前側よりもわずかに高くなっている。また、上ステージ６０の手前側には垂直板６３が連接されており、その中央部には球誘導路６４が突設されている。さらに、上ステージ６０上に突出して、進路変更部材６８が配されている。
【００１８】
図１、図２、図４に示すように、下ステージ６２の中央部には一対の傾斜板６７間に凹部６９が形成されている。
図２、図４および図５に示すように、上ステージ６０には移動穴７０が設けられており、進路変更部材６８は移動穴７０を貫通する上移動突起７２または下移動突起７４に支持されている。
【００１９】
図５および図７〜図１０に示すように、上移動突起７２は上スライド板７６に立設されている。図７、図８および図１０に示すように、上スライド板７６には移動突起突出穴７８が設けられており、図５および図１０に示すように、下移動突起７４が移動突起突出穴７８を貫通している。また、図５および図７〜図１０に示すように、上スライド板７６の下面にはラック歯８０が設けられ、図５および図９に示すように、ラック歯８０は、ステッピングモータ８２の出力軸８４に固着された歯車８６と歯合している。なお、図３および図５に示すように、ステッピングモータ８２は、取付板８３を介して背板４０に固定されている。
【００２０】
図５に示すように、この上スライド板７６は、上ステージ６０の手前側に連接する垂直板６３の裏面に設けられたスライド溝９０と背板４０の前面側に設けられたスライド溝９２とに挿入されており、これらスライド溝９０、９２内を摺動自在である。
【００２１】
図５、図６、図９および図１０に示すように、下移動突起７４は下スライド板９４に立設されている。この下スライド板９４の上面にはラック歯９６が設けられ、図５および図９に示すように、ラック歯９６も歯車８６と歯合している。図５に示すように、下スライド板９４は、垂直板６３の裏面に設けられたスライド溝９８と背板４０に設けられたスライド溝１００とに挿入されており、これらスライド溝９８、１００内を摺動自在である。
【００２２】
こうした構成により、ステッピングモータ８２を稼働させた際には、上スライド板７６と下スライド板９４を互いに逆方向に移動させることができる。なお、ステッピングモータ８２は図示しない制御回路によって制御され、設定されたステップ数毎に正転、逆転を繰り返す構成である。したがって、上スライド板７６と下スライド板９４は、往復移動することになる。
【００２３】
次に、このパチンコ機１０の動作について説明する。
このパチンコ機１０では、遊技盤１２に向けて発射された遊技球が始動入賞装置１８、大入賞口２２、入賞口２４あるいは入賞口２８に入賞すると、それぞれ設定された数の遊技球が賞球として払出される。
【００２４】
そして、始動入賞装置１８に入賞すると、図示しない遊技制御装置において抽選処理が実行され、その結果（当たり外れ）を示す図柄が可変表示装置４４の表示部４６に表示される。ここで当たりが表示されると、特別遊技が実行される。このパチンコ機１０における特別遊技は、公知の第１種と呼ばれるパチンコ機と同様であるが、簡単に説明する。
【００２５】
特別遊技では、まず開閉板２０を倒して大入賞口２２を開放し、きわめて入賞しやすい状態にする。そして、大入賞口２２を開放してから３０秒を経過するか、大入賞口２２への入賞球が１０球に達したなら開閉板２０を起てて大入賞口２２を閉鎖する。その際に、今回の開放中の入賞球のいずれかが大入賞口２２のＶ領域（図示しない）を通過していたなら、大入賞口２２を再び開放し、前述と同様に閉鎖させることを繰り返す。もし、大入賞口２２の開放中に入賞した遊技球中でＶ領域を通過したものがない場合、あるいは大入賞口２２の開放回数が規定数（本実施例では１６回）に達した場合には、大入賞口２２の再開放は行われず、特別遊技は終了となる。
【００２６】
ところで、このパチンコ機１０では、その稼働中を通じてステッピングモータ８２が稼働し（正転および逆転し）、上スライド板７６および下スライド板９４は、往復移動を繰り返している（図９参照）。したがって、上スライド板７６に立設された上移動突起７２または下スライド板９４に立設された下移動突起７４に支持される進路変更部材６８も、上ステージ６０上で往復移動を繰り返している。
【００２７】
入球口４８に入球した遊技球があれば、その遊技球はワープ樋５０によって遊動されて球出口５６から上ステージ６０上に放出される。上ステージ６０は手前側にわずかに傾斜しているので、上ステージ６０上に至った遊技球は下ステージ６２に向かって転動することになる。ところが、その転動経路を横断するようにして、進路変更部材６８が往復移動を繰り返しているので、上ステージ６０上を転動する遊技球のほとんどは進路変更部材６８と接触あるいは衝突して進路を変更させられる。そうした遊技球の多くは上ステージ６０から下ステージ６２に落下し、下ステージ６２上を遊動して凹部６９から落下したり、凹部６９に至る前に落下する。センター役物１４の直下には始動入賞装置１８が設置されているので、凹部６９に至る前に落下した遊技球よりも凹部６９から落下した遊技球の方が始動入賞装置１８に入賞する可能性が高いと言える。また、上ステージ６０上を転動した遊技球の一部は、球誘導路６４に流入し、その先端から落下するが、球誘導路６４は始動入賞装置１８の真上に位置しているので、ここから落下した遊技球は、下ステージ６２の凹部６９から落下した遊技球よりも始動入賞装置１８に入賞する可能性が高いと言える。
【００２８】
このように、上ステージ６０上に流入した遊技球の進路を様々に変化させて上ステージ６０上をランダムに遊動させることができる。よって、上ステージ６０上での遊技球の挙動、その後の落下位置等が様々に変化するので趣向性が向上し、スペースの有効利用となる。
【００２９】
また、上述したように、始動入賞装置１８に入賞すると特別遊技の可能性があるわけで、遊技者としては始動入賞装置１８に入賞するか否かが大いに気にかかる。したがって、センター役物１４のどの位置から遊技球が落下するかで、特に球誘導路６４から落下するかしないかで、一喜一憂することになる。よって、遊技の興趣を高めることができる。
【００３０】
この実施例では進路変更部材を左右に往復移動させているが、上下、前後、斜めの移動や回転移動をさせてもよいし、これらの組合せでもよい。また、進路変更部材の移動速度を変化させたり、例えば遊技者に有利となる位置で一時停止させるといった移動、停止の変化をさせてもよい。
【００３１】
スライド板、進路変更部材、モータ、歯車等の構造、個数、位置等も様々に変更可能である。次に、そうした変更の一例としてスライド板の枚数を３枚にした例を説明する。
【００３２】
【変形例】
図１１に示すように、この例では上スライド板１１０、中スライド板１１２および下スライド板１１４の３枚を使用している。実施例１と同様に、上スライド板１１０は下面にラック歯１１６を備え、下スライド板１１４は上面にラック歯１１８を備えている。一方、中スライド板１１２は、上下両面にラック歯１２０、１２２を備えている。そして、上スライド板１１０のラック歯１１６および中スライド板１１２のラック歯１２０は、ステッピングモータ１２４の出力軸１２６に固着された歯車１２８と歯合し、中スライド板１１２のラック歯１２２および下スライド板１１４のラック歯１１８は、図示しないセンター役物の本体側に固定された軸ピン１３０に回動自在に支持される従動歯車１３２と歯合している。なお、図示は省略するが、下スライド板１１４に立設された移動突起は中スライド板１１２の移動突起突出穴および上スライド板１１０の移動突起突出穴を共に貫通して延出され、中スライド板１１２に立設された移動突起は上スライド板１１０の移動突起突出穴を貫通して延出される。
【００３３】
このような構成とすると、上スライド板１１０、中スライド板１１２および下スライド板１１４のそれぞれによって進路変更部材を移動させることができるので、趣向性が一層向上する。
【００３４】
【実施例２】
この実施例は、搬送部材を備える例である。なお、この例のパチンコ機本体は実施例１のパチンコ機１０と同様であるので図示および説明は省略し、以下の説明では実施例１と同じ品番を引用する。また、センター役物にも実施例１のセンター役物と共通する構造があるので、それら実施例１と共通の部分については実施例１と同じ品番を使用して説明を省略する。
【００３５】
図１２および図１７に示すように、本実施例のセンター役物１５０の上ステージ１５２には長円状の移動穴１５４が設けられている。なお、上ステージ１５２および下ステージ６２は、実施例１と同様に傾斜している。また、上ステージ１５２には、中央やや右寄りの移動穴１５４と球誘導路６４との間に、球切り離し部材１５６が立設されている。図１２に示すように、移動穴１５４には６本の移動突起１５８が挿通されており、その移動突起１５８に支持される６個の進路変更部材１６０が上ステージ１５２上に配されている。詳細は後述するが、進路変更部材１６０は移動穴１５４に沿って上ステージ１５２上を周回する。その周回に際しての進路変更部材１６０と球切り離し部材１５６との最短距離は遊技球の半径を下回る。
【００３６】
図１３に示すように、進路変更部材１６０は、表板１６２と裏板１６４とからなり、裏板１６４には移動突起１５８を挿入するための挿入穴１６６が設けられている。なお、６個の進路変更部材１６０中の３個は、表板１６２内に磁石１６８が封入されており、この磁石１６８にて遊技球を吸着することができる。
【００３７】
上ステージ１５２の下側には、図１４および図１５に示される構造の駆動機構１７０が内蔵されている。
図１４および図１５に示すように、駆動機構１７０は各部を支持するための機構取付板１７２を備えている。この機構取付板１７２に固着されたモータ取付板１７４にはステッピングモータ１７６が取付けられており、ステッピングモータ１７６には駆動プーリ１７８が取付けられている。詳しくは、図１５に示されるように、ステッピングモータ１７６の出力軸１８０に駆動プーリ１７８の軸固着穴１８２を嵌合させることによって、出力軸１８０と駆動プーリ１７８とが連結されている。
【００３８】
図１５に示すように、機構取付板１７２に固着された取付部１８４には、フランジ状の支持部１８６を有する軸ピン１８８が立設されている。図１４および図１５に示すように、軸ピン１８８は従動プーリ１９０の軸着穴１９２（図１４には示さない）を貫通しており、従動プーリ１９０は軸ピン１８８を中心にして回転自在である。なお、軸ピン１８８の先端に嵌合された止め部材１９４が、従動プーリ１９０の脱落を防止している。
【００３９】
図１４、図１５および図１６に示すように、駆動プーリ１７８および従動プーリ１９０の側面には歯車状の凸部１９６が設けられている。また、図１４および図１５に示すように、駆動プーリ１７８および従動プーリ１９０は、側面下部にフランジ状のベルト支持部１９８を備えている。
【００４０】
図１４、図１５および図１６に示すように、駆動プーリ１７８および従動プーリ１９０には、凸部１９６と対応する凹部２００を有するベルト２０２が巻回されており、図１６に示されるように凸部１９６と凹部２００とが歯合している。また、図１４および図１５に示すようにベルト２０２の上縁部２０４には、前述した移動突起１５８が、ほぼ等間隔で立設されている。
【００４１】
こうした構成により、ステッピングモータ１７６を稼働させてベルト２０２を回動させれば、移動突起１５８を移動穴１５４内で周回移動させることができ、移動突起１５８に支持された進路変更部材１６０を移動穴１５４に沿って周回移動させることができる。
【００４２】
本実施例のパチンコ機では、その稼働中を通じてステッピングモータ１７６が稼働し、ベルト２０２を図１４における反時計回り方向に回動させている。したがって、進路変更部材１６０は上ステージ１５２上を移動穴１５４に沿って反時計回りに周回している。
【００４３】
入球口４８に入球した遊技球があれば、その遊技球はワープ樋５０によって遊動されて球出口５６から上ステージ１５２上に放出される。上ステージ１５２は手前側にわずかに傾斜しているので、上ステージ１５２上に至った遊技球は下ステージ６２に向かって転動することになる。ところが、その転動経路を横断するようにして、進路変更部材１６０が周回しているので、上ステージ１５２上を転動する遊技球の多くは進路変更部材１６０と接触あるいは衝突する。この際、磁石１６８を内蔵する進路変更部材１６０と接触あるいは衝突した遊技球には、磁石によって吸着されるものもある。また、磁石１６８を内蔵しない進路変更部材１６０と接触あるいは衝突した遊技球、あるいは磁石１６８に吸着されなかった遊技球の多くは上ステージ１５２から下ステージ６２に落下し、下ステージ６２上を遊動して凹部６９から落下したり、凹部６９に至る前に落下する。センター役物１５０の直下には始動入賞装置１８が設置されているので、凹部６９に至る前に落下した遊技球よりも凹部６９から落下した遊技球の方が始動入賞装置１８に入賞する可能性が高いと言える。
【００４４】
一方、磁石１６８に吸着された遊技球は、進路変更部材１６０の周回に伴って搬送されるが、球切り離し部材１５６の付近に至ると球切り離し部材１５６と遊技球とが接触し、遊技球は磁石１６８による吸着から解放される。解放された遊技球のほとんどは球誘導路６４に流入し、その先端から落下する。また、磁石１６８に吸着されずに上ステージ１５２上を転動した遊技球の中にも、球誘導路６４に流入し、その先端から落下するものがある。球誘導路６４は始動入賞装置１８の真上に位置しているので、ここから落下した遊技球は、下ステージ６２の凹部６９から落下した遊技球よりも始動入賞装置１８に入賞する可能性が高いと言える。
【００４５】
このように、上ステージ１５２上に流入した遊技球の進路を様々に変化させて上ステージ１５２上をランダムに遊動させたり、磁石１６８で吸着し、搬送して球誘導路６４の入り口付近で解放することもできる。よって、上ステージ１５２上での遊技球の挙動、その後の落下位置等が様々に変化するので趣向性が向上し、スペースの有効利用となる。
【００４６】
また、上述したように、始動入賞装置１８に入賞すると特別遊技の可能性があるわけで、遊技者としては始動入賞装置１８に入賞するか否かが大いに気にかかる。したがって、センター役物１５０のどの位置から遊技球が落下するかで、特に磁石１６８に吸着、搬送されて球誘導路６４から落下するかしないかで、一喜一憂することになる。よって、遊技の興趣を高めることができる。
【００４７】
この実施例では進路変更部材を周回移動させているが、上下、前後、斜めの移動や回転移動をさせてもよいし、これらの組合せでもよい。また、進路変更部材の移動速度や移動方向を変化させたり、例えば遊技者に有利となる位置で一時停止させるといった移動、停止の変化をさせてもよい。
【００４８】
磁石によって吸着して搬送する構成としているが、他の手段で搬送してもよい。また、搬送部材（本実施例の場合磁石１６８を内蔵する進路変更部材１６０）の数は１つ以上あればよく特に限定はない。
移動穴、進路変更部材、モータ、ベルト等の構造、個数、位置等も様々に変更可能であり、例えば移動穴を複数設けてそれらに対応して進路変更部材を移動させてもよい。
【００４９】
以上、実施例に従って、本発明の実施の形態について説明したが、本発明はこのような実施例に限定されるものではなく、本発明の要旨を逸脱しない範囲でさまざまに実施できることは言うまでもない。
例えば、進路変更部材を着脱自在のアタッチメント式とすれば、遊技機の機種によって異なる形状、デザインの進路変更部材に容易に変更できる。
【００５０】
ステージの数には限定はなく、例えば実施例１、２で示した下ステージを設けなくてもよいし、これら上下のステージとは異なる機能のステージを設けてもよい。
動力源としてはステッピングモータ等のモータに限らず、ソレノイドやリニアモータ等でもよい。
【００５１】
いうまでもないが、本発明は実施例１、２で示した第１種と呼ばれる形式のパチンコ機に限らず、他の形式のパチンコ機やアレンジボール式パチンコ機などの組合せ式遊技機にも適用可能である。
【図面の簡単な説明】
【図１】  実施例１のパチンコ機の正面図である。
【図２】  実施例１のセンター役物の正面側上方からの斜視図である。
【図３】  実施例１のセンター役物の背面側上方からの斜視図である。
【図４】  実施例１のセンター役物の正面側からの斜視図である。
【図５】  実施例１のセンター役物の図１におけるＡ−Ａ線に沿った断面図であ
【図６】  実施例１のセンター役物の下スライド板の斜視図である。
【図７】  実施例１のセンター役物の上スライド板の上面側の斜視図である。
【図８】  実施例１のセンター役物の上スライド板の下面側の斜視図である。
る。
【図９】  実施例１のセンター役物における上スライド板と下スライド板の動きの説明図である。
【図１０】  実施例１のセンター役物における上スライド板と下スライド板の相対位置を説明する斜視図である。
【図１１】  変形例における上、中、下スライド板の配置の説明図である。
【図１２】  実施例２のセンター役物の正面側の斜視図である。
【図１３】  実施例２のセンター役物の進路変更部材の構造の説明図である。
【図１４】  実施例２のセンター役物の駆動機構の斜視図である。
【図１５】  実施例２のセンター役物の駆動機構の構造の説明図である。
【図１６】  実施例２のセンター役物の駆動機構におけるプーリとベルトの歯合の説明図である。
【図１７】  実施例２のセンター役物の横断面図である。
【図１８】  従来のセンター役物の例示図である。
【符号の説明】
１０…パチンコ機（弾球遊技機）、１２…遊技盤、１４…センター役物、１８…始動入賞装置、２２…大入賞口、２４…入賞口、２６…大入賞装置、２８…入賞口、４２…表示窓、４４…可変表示装置、４６…表示部、４８…入球口、５０…ワープ樋、５２…球入口、５６…球出口、６０…上ステージ、６２…下ステージ、６３…垂直板、６４…球誘導路、６７…傾斜板、６８…進路変更部材（移動部材）、６９…凹部、７０…移動穴、７２…上移動突起（駆動機構）、７４…下移動突起（駆動機構）、７６…上スライド板（駆動機構）、７８…移動突起突出穴、８０…ラック歯（駆動機構）、８２…ステッピングモータ（駆動機構）、８４…出力軸（駆動機構）、８６…歯車（駆動機構）、９０…スライド溝、９２…スライド溝、９４…下スライド板（駆動機構）、９６…ラック歯（駆動機構）、９８…スライド溝、１００…スライド溝、１１０…上スライド板（駆動機構）、１１２…中スライド板（駆動機構）、１１４…下スライド板（駆動機構）、１１６…ラック歯（駆動機構）、１１８…ラック歯（駆動機構）、１２０…ラック歯（駆動機構）、１２２…ラック歯（駆動機構）、１２４…ステッピングモータ（駆動機構）、１２８…歯車（駆動機構）、１３２…従動歯車（駆動機構）、１５０…センター役物、１５２…上ステージ、１５４…移動穴、１５６…球切り離し部材、１５８…移動突起（駆動機構）、１６０…進路変更部材（移動部材、搬送部材）、１６８…磁石（搬送部材）、１７０…駆動機構、１７２…機構取付板、１７６…ステッピングモータ（駆動機構）、１７８…駆動プーリ（駆動機構）、１９０…従動プーリ（駆動機構）、２０２…ベルト（駆動機構）
【図１】
0004072873.tif 000002
【図２】
0004072873.tif 000003
【図３】
0004072873.tif 000004
【図４】
0004072873.tif 000005
【図５】
0004072873.tif 000006
【図６】
0004072873.tif 000007
【図７】
0004072873.tif 000008
【図８】
0004072873.tif 000009
【図９】
0004072873.tif 000010
【図１０】
0004072873.tif 000011
【図１１】
0004072873.tif 000012
【図１２】
0004072873.tif 000013
【図１３】
0004072873.tif 000014
【図１４】
0004072873.tif 000015
【図１５】
0004072873.tif 000016
【図１６】
0004072873.tif 000017
【図１７】
0004072873.tif 000018
【図１８】
0004072873.tif 000019